(57)【要約】【課題】溶接痕が目立たず、かつフレームと外板との封止の信頼性を確保できる鉄道車両構体及びその製造方法を提供する。【解決手段】鉄道車両構体１は、ドア開口部２１が設けられた外板１１と、ドア開口部２１において外板１１の内側に重ね合わされたドアフレーム３１と、を備え、ドアフレーム３１と外板１１との重ね合わせ部分Ｋには、ドアフレーム３１の全周にわたって連続的に形成された隅肉溶接部Ｗ１と、所定の間隔をもってスポット状に形成された重ね溶接部Ｗ２と、が設けられ、重ね溶接部Ｗ２では、フランジ部４２及び軸部４３を有する摩擦部材４１がドアフレーム３１側から挿入され、ドアフレーム３１に生じた盛り上がり部分３１ａがフランジ部４２によって固定されていると共に、軸部４３と外板１１とが塑性流動によって互いに接合されている。【選択図】図６
2020164014.tif 000002
【特許請求の範囲】
【請求項１】
開口部が設けられた外板と、
前記開口部において前記外板の内側に重ね合わされたフレームと、を備えた鉄道車両構体であって、
前記フレームと外板との重ね合わせ部分には、
前記フレームの全周にわたって連続的に形成された隅肉溶接部と、
所定の間隔をもってスポット状に形成された重ね溶接部と、が設けられ、
前記重ね溶接部では、フランジ部及び軸部を有する摩擦部材が前記フレーム側から挿入され、前記フレームに生じた盛り上がり部分が前記フランジ部によって固定されていると共に、前記軸部と前記外板とが塑性流動によって互いに接合されている鉄道車両構体。
【請求項２】
前記フレームの厚さは、前記外板の厚さよりも大きくなっている請求項１記載の鉄道車両構体。
【請求項３】
前記フレームの盛り上がり部分は、前記フレームの厚さ方向から見て前記フランジ部と重なる領域に位置している請求項１又は２記載の鉄道車両構体。
【請求項４】
開口部が設けられた外板と、
前記開口部において前記外板の内側に重ね合わされたフレームと、を備えた鉄道車両構体の製造方法であって、
前記フレームと外板とを重ね合わせる工程と、
前記フレームの全周にわたって連続的に隅肉溶接部を形成する工程と、
所定の間隔をもってスポット状に重ね溶接部を形成する工程と、を有し、
前記重ね溶接部を形成する工程では、フランジ部及び軸部を有する摩擦部材を前記フレーム側から挿入し、前記フレームに生じた盛り上がり部分を前記フランジ部によって固定すると共に、前記軸部と前記外板とを塑性流動によって互いに接合する鉄道車両構体の製造方法。
【請求項５】
前記フレームの厚さは、前記外板の厚さよりも大きくなっている請求項４記載の鉄道車両構体の製造方法。
【請求項６】
前記重ね溶接部を形成する工程では、前記摩擦部材の挿入位置に対して前記フレームに予め貫通孔を形成する請求項４又は５記載の鉄道車両構体の製造方法。
【発明の詳細な説明】
【技術分野】
【０００１】
本開示は、鉄道車両構体及び鉄道車両構体の製造方法に関する。
【背景技術】
【０００２】
鉄道車両構体は、台枠、左右の側構体、前後の妻構体、及び屋根構体を備えて構成されている。左右の側構体を構成する外板には、ドア及び窓の取付位置に対応する開口部が設けられている。これらの開口部には、強度を確保するためのフレームが接合される。例えば特許文献１に記載の鉄道車両構体では、外板のドア開口部の外側周縁にドアフレームの取付基部が設けられている。ドアフレームの取付基部が設けられる部分に対応する外板の内側部分には、戸先柱部材についての溶接線と外板横骨部材についての溶接線のドア開口側の止端とが位置している。
【先行技術文献】
【特許文献】
【０００３】
【特許文献１】特開２０１１−２０４３８６号公報
【発明の概要】
【発明が解決しようとする課題】
【０００４】
従来、ドアフレーム等のフレームと外板との接合には、溶接部の信頼性の観点などから抵抗スポット溶接が用いられている。しかしながら、抵抗スポット溶接を用いた場合、溶接痕がフレームと外板との接合体の表面に形成される。溶接痕が鉄道車両の外表面で目立ってしまうと車両の美観に影響を与えるおそれがある。このため、溶接痕を目立たせなくするために塗装や研磨などの工程が実施される場合があるが、目視で確認できない程度に溶接痕を消すことは困難であった。
【０００５】
また、抵抗スポット溶接では、入熱による熱歪みの問題も存在している。フレームと外板との接合体では、例えば鉄道車両の車内の水密性を確保するため、フレームの全周にわたって外板との間に隅肉溶接部を連続的に形成して封止を行うことがある。しかしながら、溶接時の入熱による熱歪みが大きいと、応力の付加によって隅肉溶接部が破損し、フレームと外板との間の封止の信頼性が失われてしまうことが考えられる。
【０００６】
本開示は、上記課題の解決のためになされたものであり、溶接痕が目立たず、かつフレームと外板との封止の信頼性を確保できる鉄道車両構体及びその製造方法を提供することを目的とする。
【課題を解決するための手段】
【０００７】
本開示の一側面に係る鉄道車両構体は、開口部が設けられた外板と、開口部において外板の内側に重ね合わされたフレームと、を備えた鉄道車両構体であって、フレームと外板との重ね合わせ部分には、フレームの全周にわたって連続的に形成された隅肉溶接部と、所定の間隔をもってスポット状に形成された重ね溶接部と、が設けられ、重ね溶接部では、フランジ部及び軸部を有する摩擦部材がフレーム側から挿入され、フレームに生じた盛り上がり部分がフランジ部によって固定されていると共に、軸部と外板とが塑性流動によって互いに接合されている。
【０００８】
この鉄道車両構体では、フレームと外板との重ね溶接部において、フランジ部及び軸部を有する摩擦部材により、フレームに生じた盛り上がり部分がフランジ部によって固定されていると共に、軸部と外板とが塑性流動によって互いに接合されている。これにより、重ね溶接部において外板側の溶接痕を目立たせなくすることが可能となり、塗装や研磨などの工程を実施せずとも車両の美観を向上できる。また、この重ね溶接部は、入熱を抑えた状態で形成できる。このため、隅肉溶接部が応力の付加によって破損してしまうことを抑制でき、フレームと外板との間の封止の信頼性を高めることができる。
【０００９】
フレームの厚さは、外板の厚さよりも大きくなっていてもよい。この場合、フレームの接合によって開口部の強度を十分に確保することができる。また、摩擦部材を用いた重ね溶接部の形成により、フレームの厚さが大きい場合でもフレームへの入熱を抑えることが可能となるため、熱歪みに起因する応力の付加による隅肉溶接部の破損を一層確実に抑制できる。
【００１０】
フレームの盛り上がり部分は、フレームの厚さ方向から見てフランジ部と重なる領域に位置していてもよい。この場合、フレームの盛り上がり部分の軸部からのはみ出しが抑えられるため、フレーム側から重ね溶接部を見た場合のフランジ部回りの形状をすっきりさせることができる。
【００１１】
本開示の一側面に係る鉄道車両構体の製造方法は、開口部が設けられた外板と、開口部において外板の内側に重ね合わされたフレームと、を備えた鉄道車両構体の製造方法であって、フレームと外板とを重ね合わせる工程と、フレームの全周にわたって連続的に隅肉溶接部を形成する工程と、所定の間隔をもってスポット状に重ね溶接部を形成する工程と、を有し、重ね溶接部を形成する工程では、フランジ部及び軸部を有する摩擦部材をフレーム側から挿入し、フレームに生じた盛り上がり部分をフランジ部によって固定すると共に、軸部と外板とを塑性流動によって互いに接合する。
【００１２】
この鉄道車両構体の製造方法では、フレームと外板との重ね溶接部において、フランジ部及び軸部を有する摩擦部材により、フレームに生じた盛り上がり部分をフランジ部によって固定すると共に、軸部と外板とを塑性流動によって互いに接合する。これにより、重ね溶接部において外板側の溶接痕を目立たせなくすることが可能となり、塗装や研磨などの工程を実施せずとも車両の美観を向上できる。また、この重ね溶接部は、フレームへの入熱を抑えた状態で形成できる。このため、隅肉溶接部が熱歪みに起因する応力の付加によって破損してしまうことを抑制でき、フレームと外板との間の封止の信頼性を高めることができる。
【００１３】
フレームの厚さは、外板の厚さよりも大きくなっていてもよい。この場合、フレームの接合によって開口部の強度を十分に確保することができる。また、摩擦部材を用いた重ね溶接部の形成により、フレームの厚さが大きい場合でも入熱を抑えることが可能となるため、応力の付加による隅肉溶接部の破損を抑制できる。
【００１４】
重ね溶接部を形成する工程では、摩擦部材の挿入位置に対してフレームに予め貫通孔を形成してもよい。この場合、フレームの厚さや材質によらずに摩擦部材による重ね溶接部の接合を好適に実施できる。また、摩擦部材の挿入の際のフレームの盛り上がり部分の形成範囲が抑えられるため、フレームの厚さ方向から見た場合の軸部からの盛り上がり部分のはみ出しが抑えられる。
【発明の効果】
【００１５】
本開示によれば、溶接痕が目立たず、かつフレームと外板との封止の信頼性を確保できる。
【図面の簡単な説明】
【００１６】
【図１】鉄道車両構体の一例を示す斜視図である。
【図２】車両外側から見た側構体の概略図である。
【図３】車両外側から見たドア開口部の概略図である。
【図４】ドア開口部の要部拡大概略図である。
【図５】図３におけるＶ−Ｖ線断面図である。
【図６】重ね溶接部を示す概略的な断面図である。
【図７】摩擦部材の一例を示す側面図である。
【図８】重ね溶接部を形成する工程を示す概略的な断面図である。
【発明を実施するための形態】
【００１７】
以下、図面を参照しながら、本開示の一側面に係る鉄道車両構体及びその製造方法の好適な実施形態について詳細に説明する。
【００１８】
図１は、鉄道車両構体の一例を示す斜視図である。同図に示すように、鉄道車両構体１は、床構体２と、側構体３と、屋根構体４と、妻構体５とを備えている。鉄道車両構体１は、床構体２、側構体３、屋根構体４、及び妻構体５が相互に接合されることにより、乗客等を収容する内部空間を有する箱型形状をなしている。
【００１９】
床構体２は、鉄道車両の床部を構成する構体として鉄道車両構体１の底部に配置されている。側構体３及び妻構体５は、車両の側部を構成する構体として、床構体２の左右の縁部及び前後の縁部を囲むように立設されている。側構体３には、ドア６が等間隔に複数（ここでは３ヶ所）設けられている。また、側構体３には、ドア６と交互に窓部７が設けられている。妻構体５は、乗客・乗員らが車両間を行き来するための貫通路８が設けられている。屋根構体４は、鉄道車両の屋根部を構成する構体として鉄道車両構体１の上部に配置されている。屋根構体４には、車内の温度を調整するためのエアコンディショナー及びパンタグラフなどが設置されている。
【００２０】
次に、側構体３について更に詳細に説明する。図２は、車両外側から見た側構体の概略図である。同図に示されるように、側構体３は、複数の外板１１によって構成されている。複数の外板１１は、例えばアルミニウム合金などの軽量かつ強度に優れた部材、若しくはＳＵＳなどのステンレス鋼材によって形成されている。外板１１は、例えば側構体３の上側を構成する第１の分割板１２と、側構体３の下側を構成する第２の分割板１３とによって構成されている。本実施形態では、第１の分割板１２と第２の分割板１３とは、抵抗スポット溶接或いはレーザ溶接等により互いに強固に接合されている。
【００２１】
第１の分割板１２は、幕部１４と、吹寄部１５の上部１５ａと、ドア上幕部１６とを有している。また、第２の分割板１３は、腰部１７と、吹寄部１５の下部１５ｂとを有している。第１の分割板１２と第２の分割板１３との接合により、側構体３には、ドア６が設けられるドア開口部２１と、窓部７が設けられる窓開口部２２とが設けられている。ドア開口部２１の角部及び窓開口部２２の角部は、応力の集中を緩和させるためにＲ形状をなしていてもよい。
【００２２】
図３は、車両外側から見たドア開口部の概略図である。図３に示すように、ドア開口部２１には、当該ドア開口部２１回りの強度を確保するためのドアフレーム３１が設けられている。また、窓開口部２２には、当該ドア開口部２１回りの強度を確保するための窓フレーム３２が設けられている。ドアフレーム３１は、ドア開口部２１の形状に応じた枠状をなしている。ドアフレーム３１の断面形状は、例えば略Ｌ字状（図５参照）となっている。ドアフレーム３１は、例えばアルミニウム合金などの軽量かつ強度に優れた部材、若しくはＳＵＳなどのステンレス鋼材によって形成されている。ドアフレーム３１の厚さは、外板１１の厚さと等厚若しくは外板１１の厚さよりも大きくなっている。
【００２３】
図３〜図５に示すように、ドア開口部２１において、ドアフレーム３１は、外板１１の内側に重ね合わされており、重ね合わせ部分Ｋ（図５参照）に形成された隅肉溶接部Ｗ１及び重ね溶接部Ｗ２によって互いに強固に接合されている。隅肉溶接部Ｗ１は、図３及び図４に示すように、ドアフレーム３１の全周にわたって連続的に形成されている。この隅肉溶接部Ｗ１は、主に車内の水密性を確保するための封止部として機能する。隅肉溶接部Ｗ１の形成には、例えばレーザ溶接が用いられる。
【００２４】
重ね溶接部Ｗ２は、図３に示すように、重ね合わせ部分Ｋにおいて所定の間隔をもってスポット状に形成されている。この重ね溶接部Ｗ２は、図５に示すように、重ね合わせ部分Ｋにおいてドアフレーム３１と外板１１との厚さ方向に形成され、主にドアフレーム３１と外板１１との接合強度に寄与している。重ね溶接部Ｗ２の形成間隔は、ドアフレーム３１と外板１１との接合強度が十分に担保される範囲において任意に設定される。なお、ドアフレーム３１と外板１１との接合部分の近傍には、ハット材などで構成される縦梁及び横梁、繋ぎ金といった他の補強部材も配置されるが、図５では、説明の簡単化のために省略している。
【００２５】
重ね溶接部Ｗ２の形成には、図６に示すように、フランジ部４２及び軸部４３を有する摩擦部材４１が用いられている。摩擦部材４１は、回転ツール（不図示）の先端に取り付けられ、高速で回転した状態で一定の圧力を付加しながらドアフレーム３１側から挿入される。これにより、ドアフレーム３１には、摩擦熱によって溶融した金属材料の凝固による盛り上がり部分３１ａが軸部４３の基端側の周囲に形成されている。盛り上がり部分３１ａは、フランジ部４２からの締結力によって固定されている。また、軸部４３の先端側と外板１１とは、塑性流動によって互いに接合されている。
【００２６】
この重ね溶接部Ｗ２では、ドアフレーム３１側にフランジ部４２が突出した状態で残存するが、外板１１側では軸部４３の先端側と外板１１とは摩擦攪拌によって接合される。軸部４３の先端側の溶融凝固部分Ｆは、ドアフレーム３１と外板１１との境界部分の近傍に留まっており、外板１１の表面には到達していない状態となっている。また、盛り上がり部分３１ａは、ドアフレーム３１の厚さ方向から見てフランジ部４２と重なる領域に位置している。すなわち、盛り上がり部分３１ａは、ドアフレーム３１の厚さ方向から見た場合に軸部４３に隠れており、軸部４３の外側には張り出さないようになっている。
【００２７】
ドアフレーム３１を外板１１のドア開口部２１に接合する場合、まず、ドア開口部２１に対応するように外板１１にドアフレーム３１を配置する。次に、レーザ溶接などを用いて、ドアフレーム３１の全周にわたって連続的に隅肉溶接部Ｗ１を形成する。隅肉溶接部Ｗ１の形成の際には、フィラーなどを適宜用いてもよい。
【００２８】
次に、重ね合わせ部分Ｋにおいて所定の間隔をもってスポット状に重ね溶接部Ｗ２を形成する。重ね溶接部Ｗ２の形成に用いる摩擦部材４１は、図７に示すように、フランジ部４２及び軸部４３を備えて構成されている。摩擦部材４１は、例えば重ね合わせで下板となる部材と同種の材料によって形成されている。ここでは、摩擦部材４１は、外板１１と同種の材料によって形成されている。例えば外板１１がアルミニウム合金によって構成されている場合、摩擦部材４１の材料は、アルミニウム、或いはアルミニウム合金となる。また、例えば外板１１がステンレス鋼材によって構成されている場合、摩擦部材４１の材料は、鉄系材料となる。
【００２９】
フランジ部４２には、例えば回転ツール（不図示）に係合させる（接合トルクを発生させる）ための溝部４２ａが形成されている。摩擦部材４１と回転ツールとの係合は、磁力やエアの吸引などによってサポートされていてもよい。軸部４３は、円筒状をなしており、軸部４３の先端部４３ａは、先細り形状となっている。軸部４３の長さは、例えばドアフレーム３１及び外板１１の合計の厚さとほぼ等しくなっている。
【００３０】
重ね溶接部Ｗ２を形成するにあたっては、回転ツールを用いることにより、図８に示すように、高速で回転した状態で一定の圧力を付加しながら上板であるドアフレーム３１側から摩擦部材４１を挿入する。これにより、ドアフレーム３１には、摩擦熱によって溶融した金属材料の凝固による盛り上がり部分３１ａが軸部４３の基端側の周囲に形成され、盛り上がり部分３１ａがフランジ部４２からの締結力によって固定される。また、軸部４３の先端側と外板１１とが塑性流動によって互いに接合される（図６参照）。
【００３１】
摩擦部材４１の挿入位置に対してドアフレーム３１に予め貫通孔５１を形成してもよい。貫通孔５１の形成によって摩擦部材４１の挿入位置でドアフレーム３１の肉を予め削減しておくことで、摩擦部材４１の挿入が容易なものとなり、ドアフレーム３１の厚さや材質によらずに摩擦部材４１による重ね溶接部Ｗ２の接合を好適に実施できる。また、摩擦部材４１の挿入の際のドアフレーム３１の盛り上がり部分３１ａの形成範囲が抑えられ、ドアフレーム３１の厚さ方向から見た場合の軸部４３からの盛り上がり部分３１ａのはみ出しが抑えられる。
【００３２】
かかる貫通孔５１の形成は、上板であるドアフレーム３１の厚さが下板である外板１１の厚さよりも大きい場合、或いは上板であるドアフレーム３１の硬度が下板である外板１１の硬度よりも大きい場合に特に有意となる。貫通孔５１の内径は、軸部４３の外径と等しくてもよく、軸部４３の外径に対して一回り小さくてもよい。
【００３３】
以上説明したように、鉄道車両構体１では、ドアフレーム３１と外板１１との重ね溶接部Ｗ２において、フランジ部４２及び軸部４３を有する摩擦部材４１により、ドアフレーム３１に生じた盛り上がり部分３１ａがフランジ部４２によって固定されていると共に、軸部４３と外板１１とが塑性流動によって互いに接合されている。これにより、重ね溶接部Ｗ２において外板１１側の溶接痕を目立たせなくすることが可能となり、塗装や研磨などの工程を実施せずとも車両の美観を向上できる。また、この重ね溶接部Ｗ２は、ドアフレーム３１への入熱を抑えた状態で形成できる。このため、隅肉溶接部が熱歪みに起因する応力の付加によって破損してしまうことを抑制でき、ドアフレーム３１と外板１１との間の封止の信頼性を高めることができる。
【００３４】
また、鉄道車両構体１では、ドアフレーム３１の厚さが外板１１の厚さよりも大きくなっている。この場合、ドアフレーム３１の接合によってドア開口部２１の強度を十分に確保することができる。また、摩擦部材４１を用いた重ね溶接部Ｗ２の形成により、ドアフレーム３１の厚さが大きい場合でもドアフレーム３１への入熱を抑えることが可能となるため、熱歪みに起因する応力の付加による隅肉溶接部Ｗ１の破損を一層確実に抑制できる。
【００３５】
また、鉄道車両構体１では、ドアフレーム３１の盛り上がり部分３１ａは、ドアフレーム３１の厚さ方向から見てフランジ部４２と重なる領域に位置している。これにより、ドアフレーム３１の盛り上がり部分３１ａの軸部４３からのはみ出しが抑えられるため、ドアフレーム３１側から重ね溶接部Ｗ２を見た場合のフランジ部４２回りの形状をすっきりさせることができる。
【００３６】
本開示は、上記実施形態に限られるものではない。例えば上記実施形態では、重ね溶接部Ｗ２において、ドアフレーム３１の盛り上がり部分３１ａの裾部がドアフレーム３１の厚さ方向から見てフランジ部４２の外側に張り出していてもよい。ドアフレーム３１は、車両内側に配置されているため、盛り上がり部分３１ａがフランジ部４２の外側に張り出していたとしても、車両の美観に直ちに影響することはない。
【００３７】
また、重ね溶接部Ｗ２の形成にあたり、貫通孔５１は必ずしも形成しなくてもよい。貫通孔５１を形成しない場合、ドアフレーム３１の盛り上がり部分３１ａが上記実施形態よりも厚く形成されることが考えられるが、その分、盛り上がり部分３１ａがフランジ部４２からの締結力によってより強固に固定され得る。
【００３８】
上記実施形態では、ドアフレーム３１と外板１１のドア開口部２１との接合構造を例示したが、隅肉溶接部Ｗ１及び重ね溶接部Ｗ２と同様の溶接部による接合は、窓フレーム３２と外板１１の窓開口部２２との接合、或いは貫通路フレームと外板１１の貫通路用開口部との接合などに適用することが可能である。フレームと外板との厚さの関係は、任意である。例えば窓開口部２２では、窓フレーム３２の厚さが外板１１の厚さ以下となる場合もある。このような場合でも、摩擦部材４１を用いて重ね溶接部を形成することにより、上記実施形態と同様の作用効果を奏し得る。
【符号の説明】
【００３９】
１…鉄道車両構体、１１…外板、２１…ドア開口部（開口部）、２２…窓開口部（開口部）、３１…ドアフレーム（フレーム）、３１ａ…盛り上がり部分、３２…窓フレーム（フレーム）、４１…摩擦部材、４２…フランジ部、４３…軸部、５１…貫通孔、Ｋ…重ね合わせ部分、Ｗ１…隅肉溶接部、Ｗ２…重ね溶接部。
【図１】
2020164014.tif 000003
【図２】
2020164014.tif 000004
【図３】
2020164014.tif 000005
【図４】
2020164014.tif 000006
【図５】
2020164014.tif 000007
【図６】
2020164014.tif 000008
【図７】
2020164014.tif 000009
【図８】
2020164014.tif 000010